(57)【特許請求の範囲】
【請求項１】
軸方向の一端側に設けられ、遠隔操作棒に接続可能な接続部と、
前記接続部よりも他端側の周上に帯状に設けられたブラシ部と、
前記ブラシ部よりも他端側に設けられた軸心からの突出長さが、前記ブラシ部よりも長い突出部と、
前記突出部よりも他端側に設けられ、加熱部が軸方向他端側に突出するように加熱工具を保持可能な保持部と、
を備えたことを特徴とする飛来物除去工具。
【請求項２】
前記保持部に、前記加熱部と本体部とが略一直線状に形成された加熱工具を備えたことを特徴とする請求項１に記載の飛来物除去工具。
【請求項３】
前記加熱工具は、ガス式ハンダゴテであることを特徴とする請求項２に記載の飛来物除去工具。
【請求項４】
前記保持部には、前記ガス式ハンダゴテのスイッチ部を操作可能に開口した操作窓が形成されていることを特徴とする請求項３に記載の飛来物除去工具。
【請求項５】
前記保持部には、前記ガス式ハンダゴテを内部に保持した状態において、前記ガス式ハンダゴテの燃焼のための吸気部と前記操作窓とを連通状態とする吸気路が内壁側に形成されていることを特徴とする請求項４に記載の飛来物除去工具。
【発明の詳細な説明】
【技術分野】
【０００１】
この発明は、架線に引っ掛かった飛来物を遠隔操作によって除去するためのものであり、遠隔操作棒の先端に取り付けられる飛来物除去工具に関するものである。
【背景技術】
【０００２】
鉄道設備において、トロリー線などの架線に凧糸やスーパーの袋などが飛来して絡み付くと、接触不良などの原因になり、運行に支障をきたす。また、最近では、表面にアルミを蒸着したアルミ風船なども多く、トロリー線に接触した場合は、停電事故などの原因になる。このような飛来物は、メンテナンス車両を軌道内に運び入れ、このメンテナンス車に搭乗した作業員によって遠隔操作棒を用いて除去されるのが一般的である。
【０００３】
このような飛来物除去のための従来の飛来物取り具１０１を図７に示す。凧糸、スーパーの袋、ビニール紐などが架線に絡み付き、結び目が形成されてしまうと、細かな作業を要し、遠隔操作により除去するのは極めて困難である。したがって、作業の精度を上げるために、できるだけ対象の飛来物に接近する必要がある。このため、作業者が搭乗できるメンテナンス車両が必要になる。
【０００４】
図７の飛来物取り具１０１は、Ｙ字形に開いた帯状弾性板１０２を有している。この帯状弾性板１０２のそれぞれの先端には、粘着テープの始端を挟持できる切欠き１０２ａが形成されている。これにより、帯状弾性板１０２の表面に粘着テープを巻き付けて、凧糸などの飛来物を接着できるようにする。一方、飛来物取り具１０１の下方には、ボルトを挿通できる透孔１０３ａが形成された接続部１０３が設けられている。絶縁操作棒には、この透孔１０３ａ部分が蝶ナット等で締結される。このような飛来物取り具１０１を飛来物が巻き付くように遠隔操作すると、巻き付いた飛来物を引きちぎって除去することができる。この飛来物取り具１０１については特許文献１に記載がある。
【０００５】
また、遠隔操作棒の先端にペンチのような挟持部材を備えた活線用異物除去具については特許文献２に開示されている。
【０００６】
次に、架線ｗ上に設置され、自走により移動して飛来物を除去する飛来物除去装置２０１を図８に示す。図８を参照して、飛来物除去装置２０１は、自走機構部２０２と切除機構部２０３とを備えている。そして、自走機構部２０２の下方には蓄電池２０４が設けられており、この蓄電池２０４から得られる動力により、架線ｗ上を自走することができる。また、切除機構部２０３には、一対の電熱刃２０５が設けられている。この電熱刃２０５は、遠隔操作で左右に開閉動作させることができる。このように構成されているので、飛来物の位置まで自走により接近し、電熱刃２０５の遠隔操作により、例えば、スーパーの袋などを溶断し、架線ｗから除去することができる。この飛来物除去装置２０１は特許文献３に記載がある。
【先行技術文献】
【特許文献】
【０００７】
【特許文献１】実開昭６１−２２１１９号公報
【特許文献２】特開２０００−８３３０８号公報
【特許文献３】特開２００８−１７２９５６号公報
【発明の概要】
【発明が解決しようとする課題】
【０００８】
しかしながら、飛来物が架線に絡み付く度に、メンテナンス車両を軌道内に運び入れるのは、作業効率の上で問題がある。また、メンテナンス車両を用いずに、作業員が地上から対応する場合、軌道上面から約５ｍの高さに設置されているトロリー線に巻き付いた飛来物を除去するのは極めて困難である。
【０００９】
例えば、図７のＹ字形の帯状弾性板１０２を有する飛来物取り具１０１を用いる場合、約５ｍの遠隔操作棒の先端で帯状弾性板１０２の粘着テープを対象物に接着させ、回転操作により巻き付けて引きちぎらなくてはならない。しかし、手元の操作のように細かな動きはできないので、飛来物に接着させる前にトロリー線の汚れ等によって粘着性が失われてしまう可能性がある。また、対象物が湿っていたり濡れていたりすると、十分な接着性が得られない。
【００１０】
これとは別に、特許文献２に記載の挟持部材を備えた活線用異物除去具を用いる場合は、飛来物を挟持できたとしても、一つの工具だけを用いて絡み付いている部分を解したり、ちぎったりするのは困難である。したがって、挟持の容易な部分のみが引きちぎられ、結び目などは残ってしまう。
【００１１】
一方、図８の自走式の飛来物除去装置２０１によれば、飛来物の近傍まで装置を移動させ、確実に対応することができるが、飛来物の絡み付き状態によっては、電熱刃２０５の形状が適合せず、除去が困難な場合もある。また、作業を開始する前に、架線ｗ上に高重量の装置を持ち上げ、設置しなくてはならないので、メンテナンス車両の運び入れと同様に、作業効率はあまり良くない。
【００１２】
そこで、本発明では、上記課題を解決するために、地上から作業者が容易に除去操作できる飛来物除去工具を簡易且つ軽量な構成により提供することを目的とする。
【課題を解決するための手段】
【００１３】
上記目的を達成するために、本発明の飛来物除去工具は、軸方向の一端側に設けられ、遠隔操作棒に接続可能な接続部と、接続部よりも他端側の周上に帯状に設けられたブラシ部と、ブラシ部よりも他端側に設けられた軸心からの突出長さが、ブラシ部よりも長い突出部と、突出部よりも他端側に設けられ、加熱部が軸方向他端側に突出するように加熱工具を保持可能な保持部とを備えたことを特徴とする。
【００１４】
また、本発明の飛来物除去工具は、上記構成に加えて、保持部に、加熱部と本体部とが略一直線状に形成された加熱工具を備えたことを特徴とする。
【００１５】
また、本発明の飛来物除去工具は、上記構成に加えて、加熱工具は、ガス式ハンダゴテであることを特徴とする。
【００１６】
また、本発明の飛来物除去工具は、上記構成に加えて、保持部には、ガス式ハンダゴテのスイッチ部を操作可能に開口した操作窓が形成されていることを特徴とする。
【００１７】
また、本発明の飛来物除去工具は、上記構成に加えて、保持部には、ガス式ハンダゴテを内部に保持した状態において、ガス式ハンダゴテの燃焼のための吸気部と操作窓とを連通状態とする吸気路が内壁側に形成されていることを特徴とする。
【発明の効果】
【００１８】
以上のように、本発明の飛来物除去工具によれば、ブラシ部に吸着状態となった飛来物を、隣接する突出部で効率良く巻き取ることができる。また、突出部に隣接する保持部に加熱工具を保持しておくと、突出部に巻き取られた飛来物を加熱部で溶断することができ
る。突出部がブラシ部と保持部との間に設けられていることにより、地面等に飛来物除去工具を置いた場合、ブラシ部および保持部が地面に接するのを防止できる。
【００１９】
また、本発明の飛来物除去工具によれば、加熱部と本体部とが一直線状に形成されているので、加熱部、突出部およびブラシ部が遠隔操作棒の軸方向に配置される。これにより、視認の困難な遠隔操作であっても、感覚的操作により各部の機能を使い分けることが可能となる。
【００２０】
また、本発明の飛来物除去工具によれば、電力供給を要しないので、屋外での作業を容易に行うことが可能となる。
【００２１】
また、本発明の飛来物除去工具によれば、スイッチ部が操作可能に開口しているので、ガス式ハンダゴテを装着した状態でオンオフ等の操作を容易に行うことができ、作業効率の向上を図ることが可能である。
【００２２】
また、本発明の飛来物除去工具によれば、吸気部の周辺に飛来物が巻き付いた状態であっても、操作窓を介して吸気部への空気の流れが確保されるので、ガス式ハンダゴテの燃焼が安定する。
【図面の簡単な説明】
【００２３】
【図１】本発明の実施の形態に係る飛来物除去工具の全体斜視図である。
【図２】図１の飛来物除去工具にガス式ハンダゴテを装着した状態を示す斜視図である。
【図３】図１の飛来物除去工具の立体分解図である。
【図４】図１の飛来物除去工具の使用状態における空気の流れを示す図である。
【図５】図１の飛来物除去工具のブラシ部を軸方向から見た拡大図である。
【図６】図１の飛来物除去工具による飛来物の除去作業を示す図である。
【図７】従来の飛来物取り具を示す図である。
【図８】従来の飛来物除去装置を示す図である。
【発明を実施するための形態】
【００２４】
本発明の実施の形態に係る飛来物除去工具について、図を用いて説明する。構造については図１〜５を用いて示し、飛来物除去工具を用いた作業の様子については図６を用いて示す。
【００２５】
図１は、飛来物除去工具１の全体を示した斜視図である。この飛来物除去工具１は、一端に遠隔操作棒（図示せず）の先端と接続可能な接続部２が設けられている。本実施の形態では、遠隔操作棒の抜止ピン（図示せず）などの係止部材が係止可能な鉤状の切欠き２ａが形成されている。
【００２６】
この接続部２よりも先端側（他端側）では、ブラシ部４が２箇所に設けられている。それぞれのブラシ部４は、互いに所定の間隔をおいて飛来物除去工具１の本体部３の周上に沿って帯状に巻き付けられている。
【００２７】
ブラシ部４よりもさらに先端側には、６本の突出部６が軸心Ａから放射状に延びるように突設されている。これら突出部６は、上述のブラシ部４の毛足の長さよりも十分に長いものが採用されている。本実施の形態では、この突出部６は、ボルト部材を筒状の本体部３の内側から突出させるようにして配置され、外側からナット部材で締結固定されている。
【００２８】
突出部６よりも先端側には円筒状の首部３ａが形成され、この首部３ａの先端側に延設
された頭部３ｂに対して加熱工具（本実施の形態では、後に述べるガス式ハンダゴテ。）を保持できる保持部８が接続されている。この保持部８は締結ツマミ３２によって本体部３の頭部３ｂに締結されている。ここで、図２を合わせて参照する。
【００２９】
図２は、保持部８に加熱工具としてガス式ハンダゴテ３０が保持された状態を示している。このガス式ハンダゴテ３０は、保持部８に対して、加熱部３０ｃが軸方向先端側に突出するようにして装着されている。また、保持部８には、ガス式ハンダゴテ３０のスイッチ部３０ａやガスなどの量を調節する調節部３０ｂの操作ができるように操作窓８ａが形成されている。これにより、保持部８に装着された状態でガス式ハンダゴテ３０の操作を行うことができる。
【００３０】
また、スイッチ部３０ａや調節部３０ｂが保持部８よりも奥側（軸心側）に配置されるので、保持部８の周りに飛来物が巻き付いた場合や、架線と接触した場合であっても、内部のスイッチ部３０ａ類が直接干渉を受けることはなく、損傷を防止することができる。
【００３１】
続いて、飛来物除去工具１の立体分解図を図３に示す。図３から分かるように、ガス式ハンダゴテ３０は、柄３０ｅの部分が本体部３内に収容され、加熱部３０ｃ側から保持部８を被せるようにして取り付けられる。なお、ここでは、保持部８の内径とガス式ハンダゴテ３０の外径との差を埋めるためにスペーサーとしてリング部材１０が用いられている。この断面略Ｃ字形のリング部材１０をスイッチ部３０ａの形成されている周上に装着した状態で、保持部８が被せられ、外側からコテ締結部材３４を締め付けることによりリング部材１０を介してガス式ハンダゴテ３０が締結固定される。
【００３２】
なお、図３から分かるように、保持部８の操作窓８ａは、分解状態において本体部３側が開口し、対向する開口壁８ｂが形成されている。そして、本体部３側の頭部３ｂには、対向する開口壁８ｂの内側の両エッジにそれぞれ一致する２本の平行なガイド溝３ｃが形成されている。これにより、このガイド溝３ｃと開口壁８ｂとの位置合わせを行い、容易に締結ツマミ３２による締結位置を合わせることができる。
【００３３】
一般にガス式ハンダゴテ３０は、加熱部３０ｃに着火することによりガスの燃焼が始まる。したがって、加熱部３０ｃの周辺の燃焼部分である吸気孔３０ｄが塞がれると、窒息状態となり、火が消えてしまう場合がある。これについて、図４を用いて説明する。
【００３４】
図４には、飛来物除去工具１に飛来物５０が巻き付けられた状態が示されている。ここでは、説明の便宜のため、保持部８を破断状態で示し、内装されるガス式ハンダゴテ３０との位置関係を明確にしている。本実施の形態に係る飛来物除去工具１では、飛来物５０を本体部３の周りに数回程度巻き付けた状態であっても、ブラシ部４に比べて外径側に大きく突出した突出部６により、本体部３と飛来物５０との間に空間が形成される。また、保持部８に形成された操作窓８ａは、ガス式ハンダゴテ３０のスイッチ部３０ａ等を操作するだけでなく、空気の流れを形成するためのガイドの機能を有している。すなわち、不用意に飛来物５０を巻き付けた場合であっても、本体部３と巻き付けられた飛来物５０との間に、突出部６で一定の空間を形成するとともに、この空間と吸気孔３０ｄの周辺とを操作窓８ａ及び吸気路８ｃを通じて連通させて一定の空気の流れ（図中点線で示した矢印。）を確保することができる。これにより、燃焼不良を防止することが可能となる。ここに示した吸気路８ｃは、ガス式ハンダゴテ３０と保持部８との隙間であり、保持部８に形成した溝や凹部なども含むものとする。
【００３５】
次に、ブラシ部４の形状について、図５を用いて示す。図５は、本体部３の接続部２側から見たブラシ部４の拡大図である。なお、説明の便宜のため、図１に示した突出部６等の構成については省略している。図５に示すように、本実施の形態に係るブラシ部４は、矢印４１で示した回転方向（一の周方向）に向かって毛先が流れるように形成されている。これにより、矢印４１の方向に遠隔操作棒を回転操作する際に、飛来物をブラシ部４の
先端に捕え易くなる。また、架線から除去された飛来物の処理の際には、矢印４１とは逆向きに相対回転させることにより、引っ掛かりによる抵抗を殆ど受けることなく飛来物の分離が容易になるので、作業効率が著しく向上する。
【００３６】
続いて、飛来物除去工具１を用いた具体的な作業の様子について、図６を用いて説明する。図６は飛来物除去の作業手順を示しており、（ａ）はブラシ部４及び突出部６に対する巻き付け作業、（ｂ）はガス式ハンダゴテ３０による溶断作業、（ｃ）は飛来物５０の分離作業を示している。
【００３７】
図６に示したような、紐状の飛来物５０に対しては、先ず、図６（ａ）のようにブラシ部４及び突出部６に一部を巻き付けながら飛来物除去工具１を近付ける。このとき、図４を用いて示したガス式ハンダゴテ３０の燃焼部分が窒息しないように加熱部３０ｃ、保持部８を上方位置に配置して作業を行うのが望ましい。
【００３８】
次に、巻き付けた飛来物５０は、図６（ｂ）に示したように、適度な長さ毎に先端の加熱部３０ｃで溶断又は焼き切るのが望ましい。これは、上述のように、巻き付け量が多すぎると、燃焼不良が生じ易くなるためである。このようにして、図６（ｃ）のように適度な量の飛来物５０が部分的に除去される。以後は、必要に応じて図６（ａ）〜（ｃ）の作業を繰り返すことにより、確実に架線ｗから飛来物５０を除去することが可能である。
【００３９】
以上説明してきたように、本実施の形態に係る飛来物除去工具１によれば、回転操作及び引きちぎり操作などの、作業精度があまり要求されない簡易な操作によって、様々な形態の飛来物を捉えることができる。また、加熱工具を備えていることにより、適度な量に分割して除去したり、結び目などを溶断して分解することも可能である。このように、簡易な操作で、且つ簡易な部材で構成されているので、地上からトロリー線の設置されている高所までの遠隔操作であっても、確実に作業を行うことが可能である。
【００４０】
なお、上記の実施の形態では、ブラシ部４が２つ設けられた構成を例として示したが、少なくとも１箇所設けられていれば同様の効果を得ることができる。また、このブラシ部４は、本体部３の全周に渡って設けられていなくても良く、例えば、断面Ｃ字状に形成されていても構わない。
【００４１】
また、上記の実施の形態では、６本の突出部６が放射状に配置された構成を例として示した。しかし、少なくとも１本形成されていれば、同様の効果を得ることは可能である。また、本体部３に対して同一側の半周面から少なくとも２本突出していれば、巻き付け、引きちぎりの作用を生じさせることができる上に、地面に置く場合には足として使用することができるので、加熱部３０ｃを地面又は床面から離間させることができ、安全に取り扱うことが可能となる。
【００４２】
また、上記の実施の形態では、突出部６はそれぞれ直線状に延びる形状を例として示したが、鉤型に形成されていても良く、さらに、それぞれが異なる形状であっても構わない。さらに、軸心Ａに対して垂直に配置されていなくても構わない。
【００４３】
また、上記の実施の形態では、加熱工具としてガス式ハンダゴテ３０を装着した構成を例として示したが、飛来物５０を溶断又は焼き切ることができるものであれば、バッテリー式の加熱工具であっても良く、商用電源駆動型のハンダゴテであっても構わない。
【００４４】
また、ブラシ部４は、毛先が一の周方向に流れるように、中央が屈曲形成されている形状を例として示したが、一方向に流れていれば、屈曲形成されていなくても構わない。
【符号の説明】
【００４５】
１  飛来物除去工具
２  接続部
３  本体部
３ａ  首部
３ｂ  頭部
３ｃ  ガイド溝
４  ブラシ部
６  突出部
８  保持部
８ａ  操作窓
８ｂ  開口壁
８ｃ  吸気路
１０  リング部材
３０  ガス式ハンダゴテ（加熱工具）
３０ａ  スイッチ部
３０ｂ  調節部
３０ｃ  加熱部
３０ｄ  吸気孔（吸気部）
３２  締結ツマミ
３４  コテ締結部材
４１  矢印
５０  飛来物
Ａ  軸心
Ｗ  架線
【図１】
0006039508.tif 000002
【図２】
0006039508.tif 000003
【図３】
0006039508.tif 000004
【図４】
0006039508.tif 000005
【図５】
0006039508.tif 000006
【図６】
0006039508.tif 000007
【図７】
0006039508.tif 000008
【図８】
0006039508.tif 000009